(57)【要約】【課題】ハンドヘルドデバイスとベースデバイスを組み合わせてアンテナ拡張を行うシステムおよびその方法を提供する。【解決手段】通信プロトコルの下でアンテナ拡張操作に適用するアンテナ拡張システムおよびその方法を提供する。アンテナ拡張システムは、ハンドヘルド通信デバイスとベースデバイスを組み合わせ、ハンドヘルド通信デバイスとベースデバイスのアンテナ数の合計が特定の通信プロトコルのアンテナ数の合計に符合するかどうかを判断する。ハンドヘルド通信デバイスとベースデバイスのアンテナ数の合計が特定の通信プロトコルのアンテナ数の合計に符合する場合、アンテナ拡張システムは、アンテナ拡張操作を使用可能にする。【選択図】図３Ａ
2013066161.tif 000002
【特許請求の範囲】
【請求項１】
通信プロトコルの下でアンテナ拡張操作に適用するアンテナ拡張システムであって、前記通信プロトコルが、P組の送信用アンテナとQ組の受信用アンテナを必要とし、PおよびQがそれぞれ正の整数であって、
M組の送信用アンテナと、N組の受信用アンテナと、第１拡張コネクタとを備え、MおよびNがそれぞれ正の整数であるハンドヘルド通信デバイスと、
J組の送信用アンテナと、K組の受信用アンテナと、第２拡張コネクタとを備え、JおよびKがそれぞれ正の整数であるベースデバイスと
を含み、前記ハンドヘルド通信デバイスが、前記第１拡張コネクタと前記第２拡張コネクタが接続されていることを検出した時、前記ハンドヘルド通信デバイスが、JがP−Mに等しいかどうか、およびKがQ−Nに等しいかどうかを判断し、前記ハンドヘルド通信デバイスが、JがP−Mに等しく、KがQ−Nに等しいと判断した時、前記ハンドヘルド通信デバイスが、前記M組の送信用アンテナおよび前記N組の受信用アンテナを起動し、前記ベースデバイスにイネーブルコマンドを送信して、前記J組の送信用アンテナおよび前記K組の受信用アンテナを使用可能にするアンテナ拡張システム。
【請求項２】
前記ハンドヘルド通信デバイスが、
前記第１検出モジュールに結合され、前記第１拡張コネクタと前記第２拡張コネクタが接続されているかどうかを検出する第１検出モジュールと、
前記第１拡張コネクタに結合され、前記第１拡張コネクタと前記第２拡張コネクタが接続されている時に、JがP−Mに等しいかどうか、およびKがQ−Nに等しいかどうかを判断する第１制御モジュールと
を含み、前記第１制御モジュールが、JがP−Mに等しく、KがQ−Nに等しいと判断した時、前記第１制御モジュールが、前記M組の送信用アンテナおよび前記N組の受信用アンテナを起動し、前記ベースデバイスに前記イネーブルコマンドを送信して、前記J組の送信用アンテナおよび前記K組の受信用アンテナを使用可能にする請求項１記載のアンテナ拡張システム。
【請求項３】
前記ハンドヘルド通信デバイスが、さらに、
前記第１制御モジュールに結合され、前記第１制御モジュールが、JがP−Mに等しく、KがQ−Nに等しいと判断した時、前記第１制御モジュールが、前記第１表示モジュールを制御して、第１イネーブルメッセージを表示する第１表示モジュールを含む請求項２記載のアンテナ拡張システム。
【請求項４】
前記第１制御モジュールが、JがP−Mに等しくない、またはKがQ−Nに等しくないと判断した時、前記第１制御モジュールが、前記第１表示モジュールを制御して、第１ディセーブルメッセージを表示し、前記ベースデバイスにディセーブルコマンドを送信する請求項３記載のアンテナ拡張システム。
【請求項５】
前記ベースデバイスが、さらに、
第２表示モジュールと、
前記第２拡張コネクタに結合され、前記イネーブルコマンドまたは前記ディセーブルコマンドを受信したかどうかを検出する第２検出モジュールと、
前記第２表示モジュールおよび前記第２検出モジュールに結合された第２制御モジュールと
を含み、前記第２検出モジュールが、前記イネーブルコマンドを受信した時、前記第２制御モジュールが、前記J組の送信用アンテナおよび前記K組の受信用アンテナを起動し、前記第２表示モジュールを制御して、第２イネーブルメッセージを表示するとともに、前記第２検出モジュールが、前記ディセーブルコマンドを受信した時、前記第２制御モジュールが、前記第２表示モジュールを制御して、第２ディセーブルメッセージを表示する請求項４記載のアンテナ拡張システム。
【請求項６】
前記通信プロトコルが、3GPP LTE規格、3GPP LTE-Advanced規格、HSPA+規格、およびWiFi規格を含む請求項１記載のアンテナ拡張システム。
【請求項７】
ハンドヘルド通信デバイスとベースデバイスを組み合わせることによって、通信プロトコルの下でアンテナ拡張操作を使用可能にするためのアンテナ拡張方法であって、前記通信プロトコルが、P組の送信用アンテナとQ組の受信用アンテナを必要とし、前記ハンドヘルド通信デバイスが、M組の送信用アンテナと、N組の受信用アンテナと、第１拡張コネクタとを備え、前記ベースデバイスが、J組の送信用アンテナと、K組の受信用アンテナと、第２拡張コネクタとを備え、P、Q、M、N、JおよびKがそれぞれ正の整数であり、
前記第１拡張コネクタと前記第２拡張コネクタが接続されているかどうかを検出することと、
前記第１拡張コネクタと前記第２拡張コネクタが接続されていると検出した時に、JがP−Mに等しいかどうか、およびKがQ−Nに等しいかどうかを判断することと
を含み、前記ハンドヘルド通信デバイスが、JがP−Mに等しく、KがQ−Nに等しいと判断した時に、前記ハンドヘルド通信デバイスが、前記M組の送信用アンテナおよび前記N組の受信用アンテナを起動し、前記ベースデバイスにイネーブルコマンドを送信して、前記J組の送信用アンテナおよび前記K組の受信用アンテナを使用可能にするアンテナ拡張方法。
【請求項８】
JがP−Mに等しく、KがQ−Nに等しいと判断した時に、前記ハンドヘルド通信デバイスが、第１イネーブルメッセージを表示すること
をさらに含む請求項７記載のアンテナ拡張方法。
【請求項９】
JがP−Mに等しくない、またはKがQ−Nに等しくないと判断した時に、前記ハンドヘルド通信デバイスが第１ディセーブルメッセージを表示して、前記ベースデバイスにディセーブルコマンドを送信すること
をさらに含む請求項７記載のアンテナ拡張方法。
【請求項１０】
前記ベースデバイスが前記イネーブルコマンドを受信した時に、前記ベースデバイスが、前記J組の送信用アンテナおよび前記K組の受信用アンテナを起動して、第２イネーブルメッセージを表示することと、前記ベースデバイスが前記ディセーブルコマンドを受信した時に、前記ベースデバイスが、第２ディセーブルメッセージを表示すること
をさらに含む請求項９記載のアンテナ拡張方法。
【請求項１１】
前記通信プロトコルが、3GPP LTE規格、3GPP LTE-Advanced規格、HSPA+規格、およびWiFi規格を含む請求項７記載のアンテナ拡張方法。
【発明の詳細な説明】
【技術分野】
【０００１】
本発明は、アンテナ拡張システムおよびその方法に関するものであり、特に、ハンドヘルドデバイス（handheld device）とベースデバイス（base device）を組み合わせてアンテナ拡張（antenna extension）を行うシステムおよびその方法に関するものである。
【背景技術】
【０００２】
無線通信システムが急速に発展し、その発展過程において、MIMO（Multiple Input Multiple Output）の技術が新しい通信システムに適用されるようになった。第３世代移動体通信システムの標準化プロジェクト（3rd Generation Partnership Project, 3GPP）の規格に基づくと、MIMOは、HSPA+（Evolved High Speed Packet Access）やLTE（Long Term Evolution）の規格においてシステム要件に含まれている。まもなく制定されるLTE-Advanced（Long Term Evolution-Advanced）規格に基づくと、受信端末がMIMO技術を導入する必要があるだけでなく、ユーザー機器（user equipment, UE）の伝送がマルチ出力機能（multiple-output function）を備えていることも必要とされる。また、LTE-Advanced規格は、4T8R（送信用アンテナ４本、受信用アンテナ８本）をサポートするようになるまで進化する可能性があり、その結果、ユーザー機器のアンテナ空間配置やその製造がより困難になる。
【０００３】
MIMOに対して現在採用されている解決法は、ハンドヘルドデバイスに全てのアンテナを配置することであるが、いくつかの制限や欠点が存在する。まず、空間が制限されるため、アンテナの放射効率が悪い。また、アンテナが限られた空間に配置されることで互いに影響を及ぼし、システム要件を満たせないことがよくあるため、システムの伝送効率を下げる結果となる。現在主流のLTE規格に基づくと、携帯電話システムは、最大で1T2R（送信用アンテナ１本、受信用アンテナ２本）または1T4R（送信用アンテナ１本、受信用アンテナ４本）の複数のアンテナをサポートすることができる。しかしながら、受信用アンテナを２本で設計する場合、ハンドヘルドデバイスは空間が制限されるため実現するのは難しく、受信用アンテナを４本配置するのはさらに困難である。そのため、現在のハンドヘルドデバイスの限られた空間にいかにして複数のアンテナを配置するかが重要な課題となっている。
【発明の概要】
【発明が解決しようとする課題】
【０００４】
本発明は、ハンドヘルドデバイスとベースデバイスを組み合わせることによって、空間が制限される問題を解決することのできるアンテナ拡張システムおよびその方法を提供する。
【課題を解決するための手段】
【０００５】
本発明は、通信プロトコル（communication protocol）の下でアンテナ拡張操作に適用するアンテナ拡張システムを提供する。通信プロトコルは、P組の送信用アンテナとQ組の受信用アンテナを必要とし、PおよびQはそれぞれ正の整数である。アンテナ拡張システムは、ハンドヘルド通信デバイスと、ベースデバイスとを含む。ハンドヘルド通信デバイスは、M組の送信用アンテナと、N組の受信用アンテナと、第１拡張コネクタとを備え、MおよびNはそれぞれ正の整数である。ベースデバイスは、J組の送信用アンテナと、K組の受信用アンテナと、第２拡張コネクタとを備え、JおよびKはそれぞれ正の整数である。ハンドヘルド通信デバイスが第１拡張コネクタと第２拡張コネクタ間の接続を検出した時、ハンドヘルド通信デバイスは、JがP−Mに等しいかどうか、およびKがQ−Nに等しいかどうかを判断する。JがP−Mに等しく、KがQ−Nに等しいとハンドヘルド通信デバイスが判断した時、ハンドヘルド通信デバイスは、M組の送信用アンテナおよびN組の受信用アンテナを起動し、ベースデバイスにイネーブルコマンド（enabling command）を送信して、ベースデバイスのJ組の送信用アンテナおよびK組の受信用アンテナを使用可能（enable）にする。
【０００６】
本発明の１つの実施形態において、ハンドヘルド通信デバイスは、第１検出モジュールと、第１制御モジュールとを含み、第１制御モジュールは、第１検出モジュールに結合される。第１検出モジュールは、第１拡張コネクタに結合され、第１拡張コネクタが第２拡張コネクタと接続されているかどうかを検出する。第１拡張コネクタと第２拡張コネクタが接続されている時、第１制御モジュールは、JがP−Mに等しいかどうか、およびKがQ−Nに等しいかどうかを判断する。JがP−Mに等しく、KがQ−Nに等しいと第１制御モジュールが判断した時、第１制御モジュールは、M組の送信用アンテナおよびN組の受信用アンテナを起動し、ベースデバイスにイネーブルコマンドを送信して、ベースデバイスのJ組の送信用アンテナおよびK組の受信用アンテナを使用可能（enable）にする。
【０００７】
本発明の１つの実施形態において、ハンドヘルド通信デバイスは、さらに、第１表示モジュールを含む。第１表示モジュールは、第１制御モジュールに結合される。JがP−Mに等しく、KがQ−Nに等しいと第１制御モジュールが判断した時、第１制御モジュールは、第１表示モジュールを制御して、第１イネーブルメッセージを表示する。
【０００８】
本発明の１つの実施形態において、JがP−Mに等しくない、またはKがQ−Nに等しくないと第１制御モジュールが判断した時、第１制御モジュールは、第１表示モジュールを制御して、第１ディセーブルメッセージを表示し、ベースデバイスにディセーブルコマンド（disabling command）を送信する。
【０００９】
本発明の１つの実施形態において、ベースデバイスは、さらに、第２表示モジュールと、第２検出モジュールと、第２制御モジュールとを備える。第２検出モジュールは、第２拡張コネクタに結合され、イネーブルコマンドまたはディセーブルコマンドを受信したかどうかを検出する。第２制御モジュールは、第２表示モジュールおよび第２検出モジュールに結合される。第２検出モジュールがイネーブルコマンドを受信した時、第２制御モジュールは、J組の送信用アンテナおよびK組の受信用アンテナを起動し、第２表示モジュールを制御して、第２イネーブルメッセージを表示する。第２検出モジュールがディセーブルコマンドを受信した時、第２制御モジュールは、第２表示モジュールを制御して、第２ディセーブルメッセージを表示する。
【００１０】
本発明の１つの実施形態において、上述した通信プロトコルは、3GPP LTE規格と、3GPP LTE-Advanced規格と、HSPA+規格と、WiFi（Wide Fidelity）規格とを含む。
【００１１】
本発明は、さらに、ハンドヘルド通信デバイスとベースデバイスを組み合わせることによって、通信プロトコルの下でアンテナ拡張操作を使用可能にするためのアンテナ拡張方法を提供する。通信プロトコルは、P組の送信用アンテナとQ組の受信用アンテナを必要とし、ハンドヘルド通信デバイスは、M組の送信用アンテナと、N組の受信用アンテナと、第１拡張コネクタとを備え、ベースデバイスは、J組の送信用アンテナと、K組の受信用アンテナと、第２拡張コネクタとを備え、P、Q、M、N、JおよびKはそれぞれ正の整数である。アンテナ拡張方法は、第１拡張コネクタと第２拡張コネクタが接続されているかどうかを検出することと、JがP−Mに等しいかどうか、およびKがQ−Nに等しいかどうかを判断することとを含む。JがP−Mに等しく、KがQ−Nに等しいとハンドヘルド通信デバイスが判断した時、ハンドヘルド通信デバイスは、M組の送信用アンテナおよびN組の受信用アンテナを起動し、ベースデバイスにイネーブルコマンドを送信して、J組の送信用アンテナおよびK組の受信用アンテナを使用可能（enable）にする。
【発明の効果】
【００１２】
以上のように、本発明は、通信システムのアンテナ空間が不十分な問題を解決して、システムの伝送効率を最適化する。ハンドヘルド通信デバイスとベースデバイスを組み合わせることによって、アンテナ空間が不十分な問題を解決することができる。
【００１３】
本発明の上記および他の目的、特徴、および利点をより分かり易くするため、図面と併せた幾つかの実施形態を以下に説明する。
【図面の簡単な説明】
【００１４】
【図１Ａ】本発明の実施形態に係るアンテナ拡張システムを示すブロック図である。
【図１Ｂ】本発明の別の実施形態に係るアンテナ拡張システムを示すブロック図である。
【図１Ｃ】本発明の別の実施形態に係るアンテナ拡張システムを示すブロック図である。
【図２Ａ】本発明の実施形態に係るアンテナ拡張システムを示したものである。
【図２Ｂ】本発明の別の実施形態に係るアンテナ拡張システムを示したものである。
【図２Ｃ】本発明の実施形態に係るアンテナ拡張システムのハンドヘルド通信デバイスを示す図である。
【図２Ｄ】本発明の実施形態に係るアンテナ拡張システムを示したものである。
【図２Ｅ】本発明の実施形態に係るアンテナ拡張システムを示す図である。
【図３Ａ】本発明の実施形態に係るアンテナ拡張方法のフローチャートである。
【図３Ｂ】本発明の別の実施形態に係るアンテナ拡張方法のフローチャートである。
【発明を実施するための形態】
【００１５】
図１Ａは、本発明の実施形態に係るアンテナ拡張システムを示すブロック図である。アンテナ拡張システム１００は、通信プロトコルの下でアンテナ拡張操作に適用される。通信プロトコルは、3GPP LTE規格、3GPP LTE-Advanced規格、HSPA+ (Evolved High Packet Access) 規格、WiFi (Wide Fidelity)等であってもよいが、本発明はこれらに限定されない。本発明の１つの実施形態において、通信プロトコルは、P組の送信用アンテナとQ組の受信用アンテナを必要とし、PおよびQはそれぞれ正の整数である。
【００１６】
アンテナ拡張システム１００は、ハンドヘルド通信デバイス１１０と、ベースデバイス１５０とを含む。ハンドヘルド通信デバイス１１０は、携帯電話、スマートフォン等であってもよい。本発明の１つの実施形態において、ハンドヘルド通信デバイス１１０は、M組の送信用アンテナと、N組の受信用アンテナと、第１拡張コネクタ１２０とを備え、MおよびNはそれぞれ正の整数である。本発明の１つの実施形態において、ベースデバイス１５０は、複数の送信／受信用アンテナのみを含み、中央処理装置（central processor）を含まない電子デバイスである。しかしながら、別の実施形態において、ベースデバイス１５０は、中央処理装置、入力デバイスおよびディスプレイを含むタブレットＰＣ、ノート型パソコン等であってもよい。本発明の１つの例示的実施形態において、ベースデバイス１５０は、J組の送信用アンテナと、K組の受信用アンテナと、第２拡張コネクタ１６０とを備え、JおよびKはそれぞれ正の整数である。第１拡張コネクタ１２０および第２拡張コネクタ１６０は、互いに対応する端子ピン（terminal pin）を含む。
【００１７】
本発明のアンテナ拡張システム１００は、ハンドヘルド通信デバイス１１０の送信／受信用アンテナとベースデバイス１５０の送信／受信用アンテナを組み合わせることによって通信プロトコルに要求された数を満たし、それによって、ハンドヘルド通信デバイス１１０のアンテナ配置空間が不十分な問題を解決する。図２Ａ〜図２Ｂは、本発明の実施形態に係るアンテナ拡張システムを示したものである。図２Ｃは、本発明の実施形態に係るアンテナ拡張システムのハンドヘルド通信デバイスを示したものである。図２Ａの実施形態に基づくと、ハンドヘルド通信デバイス１１０は携帯電話であり、ベースデバイス１５０はタブレットＰＣである。図２Ｂの実施形態において、ハンドヘルド通信デバイス１１０は携帯電話であり、ベースデバイス１５０はノート型パソコンである。図２Ｃは、ハンドヘルド通信デバイス１１０の正面概略図および背面概略図である。MIMO送信／受信用アンテナは、アンテナ配置領域２１０およびアンテナ配置領域２２０に配置され、例えば、3GPP LTE規格に符合するアンテナモジュールである。アンテナ配置領域２３０には、WiFiに符合するアンテナモジュールまたはGPS（Global Positioning System）用のアンテナモジュール等の別の通信プロトコルの送信／受信用アンテナが配置される。注意すべきこととして、図２Ｃは、本発明の実施形態の単なる一例であり、本発明のアンテナ配置領域の配列は、図２Ｃに開示した配列のみに限定されない。
【００１８】
図２Ｄの実施形態において、通信プロトコルは、ユーザー機器の通信モードを1T4R（送信用アンテナ１本、受信用アンテナ４本）に規定する。この例示的実施形態において、ハンドヘルド通信デバイス１１０は、送信／受信用アンテナセット２４２と、受信用アンテナセット２４８とを含み、ベースデバイス１５０は、受信用アンテナセット２４６と、受信用アンテナセット２４８とを含む。つまり、ハンドヘルド通信デバイス１１０とベースデバイス１５０の送信／受信用アンテナセットを組み合わせることにより、アンテナ拡張システム１００全体が通信プロトコルに規定された1T4Rの通信モードに符合することができる。
【００１９】
図２Ｅの実施形態において、通信プロトコルは、ユーザー機器の通信モードを4T4R（送信用アンテナ４本、受信用アンテナ４本）に規定する。この例示的実施形態において、ハンドヘルド通信デバイス１１０は、送信／受信用アンテナセット２４２と、受信用アンテナセット２４４とを含み、ベースデバイス１５０は、送信／受信用アンテナセット２５２と、送信／受信用アンテナセット２５４と、送信用アンテナセット２５６とを含む。つまり、ハンドヘルド通信デバイス１１０とベースデバイス１５０の送信／受信用アンテナセットを組み合わせることにより、アンテナ拡張システム１００全体が通信プロトコルに規定された4T4Rの通信モードに符合することができる。
【００２０】
図１Ｂは、本発明の別の実施形態に係るアンテナ拡張システムを示すブロック図である。ハンドヘルド通信デバイス１１０は、第１拡張コネクタ１２０と、第１検出モジュール１１２と、第１制御モジュール１１４とを含む。詳しく説明すると、第１検出モジュール１１２は、第１拡張コネクタ１２０に結合され、第１検出モジュール１１２は、第１拡張コネクタ１２０と第２拡張コネクタ１６０が接続されているかどうかを検出する回路素子である。第１制御モジュール１１４は、第１検出モジュール１１２に結合される。第１制御モジュール１１４は、プロセッサの機能を実行することのできるハードウェア回路、ソフトウェアまたはファームウェア（firmware）であるが、本発明はこれらに限定されない。
【００２１】
図３Ａは、本発明の実施形態に係るアンテナ拡張方法のフローチャートである。まず、第１検出モジュール１１２は、第１拡張コネクタ１２０と第２拡張コネクタ１６０が接続されているかどうかを検出する（ステップＳ３１０）。ステップＳ３１０において第１拡張コネクタ１２０が第２拡張コネクタ１６０に接続されていると判断した場合、第１制御モジュール１１４は、さらに、ベースデバイス１５０の送信アンテナの数Jが、通信プロトコルで規定された送信用アンテナの数Pからハンドヘルド通信デバイス１１０の送信用アンテナの数Mを引いた数に等しいかどうかを判断するとともに、ベースデバイス１５０の受信用アンテナの数Kが、通信プロトコルで規定された受信用アンテナの数Qからハンドヘルド通信デバイス１１０の受信用アンテナの数Nを引いた数に等しいかどうかを判断する（ステップＳ３２０）。言い換えると、第１制御モジュール１１４は、JがP−Mに等しいかどうか、およびKがQ−Nに等しいかどうかを判断する。ステップＳ３２０でYesと判断された場合、ハンドヘルド通信デバイス１１０の第１制御モジュール１１４は、M組の送信用アンテナおよびN組の受信用アンテナを起動し、ベースデバイス１５０にイネーブルコマンドを送信して、J組の送信用アンテナおよびK組の受信用アンテナを使用可能（enable）にする（ステップＳ３３０）。
【００２２】
図１Ｃは、本発明の別の実施形態に係るアンテナ拡張システムを示すブロック図である。図１Ｃの例示的実施形態において、ハンドヘルド通信デバイス１１０は、さらに、第１拡張コネクタ１２０、第１検出モジュール１１２および第１制御モジュール１１４の他に、第１表示モジュール１１６を備える。第１表示モジュール１１６は、携帯電話またはスマートフォンのディスプレイ画面であってもよい。本実施形態において、ベースデバイス１５０は、第２拡張コネクタ１６０と、第２検出モジュール１５２と、第２制御モジュール１５４と、第２表示モジュール１５６とを備える。第２検出モジュール１５２は、第２拡張コネクタ１６０に結合され、ネーブルコマンドまたはディセーブルコマンドの受信を検出することのできる回路素子である。第２制御モジュール１５４は、第２表示モジュール１５６と第２検出モジュール１５２に結合される。第２検出モジュール１５４は、プロセッサの機能を実行することのできるハードウェア回路、ソフトウェアまたはファームウェアであるが、本発明はこれらに限定されない。第２表示モジュール１５６は、ノート型パソコンまたはタブレットＰＣのディスプレイ画面であってもよい。
【００２３】
図１Ｃおよび図３Ｂを参照すると、図３Ｂは、図１Ｃの実施形態に係るアンテナ拡張方法のフローチャートである。図３Ｂの実施形態において、ステップＳ３２０でYesと判断された場合、ハンドヘルド通信デバイス１１０の第１制御モジュール１１４は、M組の送信用アンテナおよびN組の受信用アンテナを起動し、ベースデバイス１５０にイネーブルコマンドを送信して、J組の送信用アンテナおよびK組の受信用アンテナを使用可能（enable）にする（ステップＳ３３０）。さらに、第１制御モジュール１１４は、第１表示モジュール１１６を制御して、例えば、「アンテナ拡張操作実行中」という第１イネーブルメッセージを表示して、ユーザーに知らせる（ステップＳ３４０）。第２検出モジュール１５２がハンドヘルド通信デバイス１１０から送信されたイネーブルコマンドを受信した時、第２検出モジュール１５２は、ベースデバイス１５０のJ組の送信用アンテナおよびK組の受信用アンテナを起動し、第２表示モジュール１５６を制御して、例えば、「アンテナ拡張操作実行中」という第２イネーブルメッセージを表示して、ユーザーに知らせる（ステップＳ３５０）。
【００２４】
ステップＳ３２０でNoと判断された時、第１制御モジュール１１４は、ベースデバイス１５０にディセーブルコマンドを送信し、第１表示モジュール１１６を制御して、例えば、「このベースデバイスはアンテナ拡張操作に符合しない」という第１ディセーブルメッセージを表示して、ユーザーに知らせる（ステップＳ３６０）。それから、第２検出モジュール１５２がハンドヘルド通信デバイス１１０から送信されたディセーブルコマンドを受信した時、第２検出モジュール１５４は、第２表示モジュール１５６を制御して、例えば、「このベースデバイスはアンテナ拡張操作に符合しない」という第２ディセーブルメッセージを表示して、ユーザーに知らせる（ステップＳ３７０）。
【００２５】
以上のように、本発明のアンテナ拡張システムおよびその方法は、通信システムのアンテナ空間が不十分な問題を解決して、システムの伝送効率を最適化する。小型のハンドヘルド通信デバイスは、多くの送信用および受信用アンテナを配置することができない。本発明のアンテナ拡張方法は、ハンドヘルド通信デバイスとベースデバイスを組み合わせることにより、ハンドヘルド通信デバイスの拡張性を大幅に増やすことができるため、ハンドヘルド通信デバイスのアンテナ配置空間が不十分な問題を克服することができる。
【００２６】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００２７】
本発明は、ハンドヘルド通信デバイスのアンテナ拡張性を大幅に増やすことのできるアンテナ拡張システムおよびその方法を提供する。
【符号の説明】
【００２８】
１００    アンテナ拡張システム
１１０    ハンドヘルド通信デバイス
１１２    第１検出モジュール
１１４    第１制御モジュール
１１６    第１表示モジュール
１２０    第１拡張コネクタ
１５０    ベースデバイス
１５２    第２検出モジュール
１５４    第２制御モジュール
１５６    第２表示モジュール
１６０    第２拡張コネクタ
２１０、２２０、２３０    アンテナ配置領域
２４２、２５２、２５４    送信／受信用アンテナセット
２４４、２４６、２４８    受信用アンテナセット
２５６    送信用アンテナセット
Ｓ３１０〜Ｓ３７０    プロセスのステップ
【図１Ａ】
2013066161.tif 000003
【図１Ｂ】
2013066161.tif 000004
【図１Ｃ】
2013066161.tif 000005
【図２Ａ】
2013066161.tif 000006
【図２Ｂ】
2013066161.tif 000007
【図２Ｃ】
2013066161.tif 000008
【図２Ｄ】
2013066161.tif 000009
【図２Ｅ】
2013066161.tif 000010
【図３Ａ】
2013066161.tif 000011
【図３Ｂ】
2013066161.tif 000012
【外国語明細書】
2013066161000001.pdf